(57)【特許請求の範囲】
【請求項１】
装置本体を腕に装着するバンド部、現在時刻を計時する計時部、この計時部により計時された現在時刻を表示する表示部、データを記憶する記憶部および情報を外部に送信する送信部を備えている腕時計において、
予備ビットエリアに遠隔制御コードが含まれた、１分毎に１周期６０秒のフレームで順次送信されるタイムコードを含む標準電波を受信する受信手段と、
この受信手段により受信された標準電波に含まれているタイムコードを前記記憶部に記憶させる一方で、前記受信手段により順次１周期６０秒間隔で受信された標準電波に含まれている前記遠隔制御コードのすべてが受信されたか否かを判別し、前記遠隔制御コードのすべてが受信されるまで当該遠隔制御コードを前記記憶部に記憶させる記憶制御手段と、
この記憶制御手段の制御により前記記憶部に記憶された前記タイムコードに基づいて、前記計時手段により計時されている現在時刻を修正させる時刻修正制御手段と、
この時刻修正制御手段の制御により修正された時刻を現在時刻として前記表示部に表示させる時刻表示制御手段と、
前記装置本体に設けられ、手動操作される操作手段と、
前記記憶制御手段の制御により前記記憶部に前記タイムコードと前記すべての遠隔制御コードとが記憶された後に、前記操作手段に対する手動操作がなされると、それに応答して、前記記憶部に記憶されている前記タイムコードに対応する時刻情報と前記記憶部に記憶されている前記すべての遠隔制御コードに対応する遠隔制御情報とを前記送信部から外部に送信させる送信制御手段と、
を備えることを特徴とする腕時計。
【請求項２】
装置本体を腕に装着するバンド部、現在時刻を計時する計時部、この計時部により計時された現在時刻を表示する表示部、データを記憶する記憶部および情報を外部に送信する送信部を備えている腕時計において、
各種電気機器を遠隔操作するために予備ビットエリアに当該電気機器の電源をオンさせるための遠隔制御コードが含まれたタイムコードを含む標準電波を１周期６０秒間隔で順次受信する受信手段と、
この受信手段により１周期６０秒間隔で順次受信された標準電波に含まれているタイムコードを前記記憶部に記憶させる一方で、前記受信手段により受信された標準電波に含まれている前記遠隔制御コードのすべてが受信されたか否かを判別し、前記遠隔制御コードのすべてが受信されるまで当該遠隔制御コードを前記記憶部に記憶させる記憶制御手段と、
この記憶制御手段の制御により前記記憶部に記憶された前記タイムコードに基づいて、前記計時手段により計時されている現在時刻を修正させる時刻修正制御手段と、
前記装置本体に設けられ、手動操作される操作手段と、
前記記憶制御手段の制御により前記記憶部に前記タイムコードと前記すべての遠隔制御コードとが記憶された後に、前記操作手段に対する手動操作がなされたか否かを判別し、手動操作がなされたと判別された際に、当該操作手段に対する手動操作がなされると、それに応答して、前記記憶部に記憶されている前記タイムコードに対応する時刻情報と前記記憶部に記憶されている前記すべての遠隔制御コードに対応する遠隔制御情報とを前記送信部から外部に送信させる送信制御手段と、
を備えることを特徴とする腕時計。
【請求項３】
現在時刻を計時する計時部、この計時部により計時された現在時刻を表示する表示部、データを記憶する記憶部および情報を外部に送信する送信部を備えている時刻情報送受信装置において、
電気機器の電源をオンさせるための電源オンコードと電気機器の録画予約を示す録画予約コードとを予備ビットエリアに記憶している遠隔制御コードが含まれたタイムコードを含む標準電波を１周期６０秒間隔で順次受信する受信手段と、
この受信手段により１周期６０秒間隔で順次受信された標準電波に含まれているタイムコードを前記記憶部に記憶させる一方で、前記受信手段により受信された標準電波に含まれている前記電源オンコードと前記録画予約コードとを含む遠隔制御コードのすべてが受信されたか否かを判別し、前記遠隔制御コードのすべてが受信されるまで当該遠隔制御コードを前記記憶部に記憶させる記憶制御手段と、
この記憶制御手段の制御により前記記憶部に記憶された前記タイムコードに基づいて、前記計時手段により計時されている現在時刻を修正させる時刻修正制御手段と、
この時刻修正制御手段の制御により修正された時刻を現在時刻として前記表示部に表示させる時刻表示制御手段と、
前記記憶部に記憶されている前記タイムコードに対応する時刻情報、前記記憶部に記憶されている前記遠隔制御コードに含まれている前記電源オンコードに対応する遠隔制御情報、および、前記録画予約コードに対応する録画予約情報を同時に前記送信部から外部に送信させる送信制御手段と、
を備えることを特徴とする時刻情報送受信装置。
【請求項４】
請求項３に記載の時刻情報送受信装置と、この時刻情報送受信装置が設けられた装置本体とを備えることを特徴とする腕時計。
【発明の詳細な説明】
【技術分野】
【０００１】
本発明は、時刻情報送受信装置及び腕時計に関する。
【背景技術】
【０００２】
現在、各国（例えば、ドイツ、イギリス、スイス、日本等）において、時刻データ即ちタイムコード入りの長波標準電波が送出されている。我が国（日本）では、２つの送信所（福島県及び佐賀県）より、所定のフォーマットのタイムコードで振幅変調した４０ｋＨｚ及び６０ｋＨｚの長波標準電波が送出されている。このタイムコードは、正確な時刻の分の桁が更新される毎即ち１分毎に、１周期６０秒のフレームで送出される。
【０００３】
近年では、このようなタイムコードを含む標準電波を受信して、これにより現在時刻データを修正する、いわゆる電波時計が実用化されている。電波時計は、所定時間毎に、内蔵しているアンテナを介して標準電波を受信し、増幅変調してタイムコードを解読することにより現在時刻を修正している。
【０００４】
この種の電波時計は、通常、室内に設置されるが、その設置場所、例えば鉄骨住宅内や地下室などでは標準電波の受信が不可能となることが多い。電波時計の設置場所の制限を解消するために、標準電波を受信し、受信した標準電波のタイムコードを所定の搬送波で変調して中継電波として送出する中継器を設け、中継器が送信した中継電波を電波時計で受信させることで確実な時刻修正を行うことができるものが提案されている（例えば、特許文献１参照）。
【特許文献１】特開２０００−１４７１７０号公報
【発明の開示】
【発明が解決しようとする課題】
【０００５】
ところで、今日においてはテレビジョン受像機やビデオデッキ、さらには炊飯器や冷蔵庫に至るまで家電機器の多くは時計機能を具備している。しかるに、前述のような中継器を用ても、正確な時刻に修正できる対象は電波時計に限られ、他の家電機器が有する時計までも時刻修正を行うことはできない。
【０００６】
本発明は、かかる従来の課題に鑑みてなされたものであり、中継器を用いることなく、しかも計時している現在時刻を修正し、かつ、家電機器を遠隔操作することが可能な時刻情報送受信装置及び腕時計を提供することを目的とする。
【課題を解決するための手段】
【０００７】
前記課題を解決するために、次の構成を備えている。なお、各構成要素につけた符号、番号等は対応する実施形態の符号、番号等である。
請求項１記載の発明に係る腕時計にあっては、
装置本体(図１の機器本体２０１)を腕に装着するバンド部（図１のバンド部２０２）、現在時刻を計時する計時部（図３の計時回路部２１１）、この計時部により計時された現在時刻を表示する表示部（図３の表示部２０４）、データを記憶する記憶部（図３のＲＡＭ２０７、リモコン制御コード記憶部２１８）および情報を外部に送信する送信部(図３の送信部２１３)を備えている腕時計（図１、図３の腕時計２）において、
予備ビットエリアに遠隔制御コードが含まれた、１分毎に１周期６０秒のフレームで順次送信されるタイムコードを含む標準電波を受信する受信手段（図３の受信部２１７）と、
この受信手段により受信された標準電波に含まれているタイムコードを前記記憶部に記憶させる一方で、前記受信手段により順次１周期６０秒間隔で受信された標準電波に含まれている前記遠隔制御コードのすべてが受信されたか否かを判別し、前記遠隔制御コードのすべてが受信されるまで当該遠隔制御コードを前記記憶部に記憶させる記憶制御手段（図３のＣＰＵ２０５；図４のＳ１０１）と、
この記憶制御手段の制御により前記記憶部に記憶された前記タイムコードに基づいて、前記計時手段により計時されている現在時刻を修正させる時刻修正制御手段（図３のＣＰＵ２０５；図４のＳ１０２）と、
この時刻修正制御手段の制御により修正された時刻を現在時刻として前記表示部に表示させる時刻表示制御手段（図３のＣＰＵ２０５；図４のＳ１０２）と、
前記装置本体に設けられ、手動操作される操作手段（図３の入力部２０８）と、
前記記憶制御手段の制御により前記記憶部に前記タイムコードと前記すべての遠隔制御コードとが記憶された後に、前記操作手段に対する手動操作がなされると、それに応答して、前記記憶部に記憶されている前記タイムコードに対応する時刻情報と前記記憶部に記憶されている前記すべての遠隔制御コードに対応する遠隔制御情報とを前記送信部から外部に送信させる送信制御手段（図３のＣＰＵ２０５；図４のＳ１０４、Ｓ１０５）と、
を備えることを特徴とする。
【０００８】
請求項１記載の発明に係る腕時計によれば、予備ビットエリアに遠隔制御コードが含まれたタイムコードを含む標準電波を受信し、この受信された標準電波に含まれているタイムコードを記憶部に記憶させる一方で、順次１周期６０秒間隔で受信された標準電波に含まれている遠隔制御コードのすべてが受信されたか否かを判別し、遠隔制御コードのすべてが受信されるまで当該遠隔制御コードを記憶部に記憶させ、このうち、記憶されたタイムコードに基づいて、計時されている現在時刻を修正させ、この修正された時刻を現在時刻として表示部に表示させることができるばかりでなく、タイムコードとすべての遠隔制御コードとが記憶された後に、装置本体に設けられている操作手段に対する手動操作がなされると、それに応答して、記憶部に記憶されているタイムコードに対応する時刻情報と記憶部に記憶されているすべての遠隔制御コードに対応する遠隔制御情報とを外部に送信させることができる。
このように、この腕時計は、受信された標準電波に含まれるタイムコードに基づいて、計時されている現在時刻を修正するものであるから、電波時計としての機能を具備する。しかもその上に、自身が時刻情報と遠隔制御情報とを保有していなくとも、外部から受信されたタイムコードに対応する時刻情報と同じく外部から受信された遠隔制御コードに対応する遠隔制御情報とを外部に送信させることができるので、外部の家電機器の時刻修正と遠隔操作とを行うことが可能となる。
【０００９】
また、請求項２記載の発明に係る腕時計は、
装置本体(図１の機器本体２０１)を腕に装着するバンド部（図１のバンド部２０２）、現在時刻を計時する計時部（図３の計時回路部２１１）、この計時部により計時された現在時刻を表示する表示部（図３の表示部２０４）、データを記憶する記憶部（図３のＲＡＭ２０７、リモコン制御コード記憶部２１８）および情報を外部に送信する送信部(図３の送信部２１３)を備えている腕時計（図１、図３の腕時計２）において、
各種電気機器を遠隔操作するために予備ビットエリアに当該電気機器の電源をオンさせるための遠隔制御コードが含まれたタイムコードを含む標準電波を１周期６０秒間隔で順次受信する受信手段（図３の受信部２１７）と、
この受信手段により１周期６０秒間隔で順次受信された標準電波に含まれているタイムコードを前記記憶部に記憶させる一方で、前記受信手段により受信された標準電波に含まれている前記遠隔制御コードのすべてが受信されたか否かを判別し、前記遠隔制御コードのすべてが受信されるまで当該遠隔制御コードを前記記憶部に記憶させる記憶制御手段（図３のＣＰＵ２０５；図４のＳ１０１）と、
この記憶制御手段の制御により前記記憶部に記憶された前記タイムコードに基づいて、前記計時手段により計時されている現在時刻を修正させる時刻修正制御手段（図３のＣＰＵ２０５；図４のＳ１０２）と、
前記装置本体に設けられ、手動操作される操作手段（図３の入力部２０８）と、
前記記憶制御手段の制御により前記記憶部に前記タイムコードと前記すべての遠隔制御コードとが記憶された後に、前記操作手段に対する手動操作がなされたか否かを判別し、手動操作がなされたと判別された際に、当該操作手段に対する手動操作がなされると、それに応答して、前記記憶部に記憶されている前記タイムコードに対応する時刻情報と前記記憶部に記憶されている前記すべての遠隔制御コードに対応する遠隔制御情報とを前記送信部から外部に送信させる送信制御手段（図３のＣＰＵ２０５；図４のＳ１０４、Ｓ１０５）と、
を備えることを特徴とする。
【００１０】
請求項２記載の発明に係る腕時計によれば、各種電気機器を遠隔操作するために予備ビットエリアに当該電気機器の電源をオンさせるための遠隔制御コードが含まれたタイムコードを含む標準電波を１周期６０秒間隔で順次受信し、この１周期６０秒間隔で順次受信された標準電波に含まれているタイムコードを記憶部に記憶させる一方で、受信された標準電波に含まれている前記遠隔制御コードのすべてが受信されたか否かを判別し、遠隔制御コードのすべてが受信されるまで当該遠隔制御コードを記憶部に記憶させ、この記憶されたタイムコードに基づいて、計時されている現在時刻を修正させることができるばかりでなく、記憶部にタイムコードとすべての遠隔制御コードとが記憶された後に、装置本体に設けられている操作手段に対する手動操作がなされると、それに応答して、操作手段に対する手動操作がなされたか否かを判別し、手動操作がなされたと判別された際に、当該操作手段に対する手動操作がなされると、それに応答して、記憶部に記憶されているタイムコードに対応する時刻情報と記憶部に記憶されているすべての遠隔制御コードに対応する遠隔制御情報とを送信部から外部に送信させることができる。
このように、この腕時計は、受信された標準電波に含まれるタイムコードに基づいて、計時されている現在時刻を修正するものであるから、電波時計としての機能を具備する。しかもその上に、自身が時刻情報と遠隔制御情報とを保有していなくとも、外部から受信されたタイムコードに対応する時刻情報と同じく外部から受信された遠隔制御コードに対応する遠隔制御情報とを外部に送信させることができるので、外部の各種家電機器の遠隔制御と時刻修正とを行い得る。
【００２３】
請求項３記載の発明に係る時刻情報送受信装置は、
現在時刻を計時する計時部（図３の計時回路部２１１）、この計時部により計時された現在時刻を表示する表示部（図３の表示部２０４）、データを記憶する記憶部（図３のＲＡＭ２０７、リモコン制御コード記憶部２１８）および情報を外部に送信する送信部(図３の送信部２１３)を備えている時刻情報送受信装置（図１、図３の中継器２）において、
電気機器の電源をオンさせるための電源オンコードと電気機器の録画予約を示す録画予約コードとを予備ビットエリアに記憶している遠隔制御コードが含まれたタイムコードを含む標準電波を１周期６０秒間隔で順次受信する受信手段（図３の受信部２１７）と、
この受信手段により１周期６０秒間隔で順次受信された標準電波に含まれているタイムコードを前記記憶部に記憶させる一方で、前記受信手段により受信された標準電波に含まれている前記電源オンコードと前記録画予約コードとを含む遠隔制御コードのすべてが受信されたか否かを判別し、前記遠隔制御コードのすべてが受信されるまで当該遠隔制御コードを前記記憶部に記憶させる記憶制御手段（図３のＣＰＵ２０５；図６のＳ３０１）と、
この記憶制御手段の制御により前記記憶部に記憶された前記タイムコードに基づいて、前記計時手段により計時されている現在時刻を修正させる時刻修正制御手段（図３のＣＰＵ２０５；図６のＳ３０２）と、
この時刻修正制御手段の制御により修正された時刻を現在時刻として前記表示部に表示させる時刻表示制御手段（図３のＣＰＵ２０５；図６のＳ３０２）と、
前記記憶部に記憶されている前記タイムコードに対応する時刻情報、前記記憶部に記憶されている前記遠隔制御コードに含まれている前記電源オンコードに対応する遠隔制御情報、および、前記録画予約コードに対応する録画予約情報を同時に前記送信部から外部に送信させる送信制御手段（図３のＣＰＵ２０５；図６のＳ３０５）と、
を備えることを特徴とする。
【００２４】
請求項３記載の発明に係る時刻情報送受信装置によれば、電気機器の電源をオンさせるための電源オンコードと電気機器の録画予約を示す録画予約コードとを予備ビットエリアに記憶している遠隔制御コードが含まれたタイムコードを含む標準電波を１周期６０秒間隔で順次受信し、この１周期６０秒間隔で順次受信された標準電波に含まれているタイムコードを記憶部に記憶させる一方で、受信された標準電波に含まれている電源オンコードと録画予約コードとを含む遠隔制御コードのすべてが受信されたか否かを判別し、遠隔制御コードのすべてが受信されるまで当該遠隔制御コードを記憶部に記憶させ、このうち、記憶されたタイムコードに基づいて、計時されている現在時刻を修正させ、この修正された時刻を現在時刻として表示部に表示させることができるばかりでなく、記憶部に記憶されているタイムコードに対応する時刻情報、記憶部に記憶されている遠隔制御コードに含まれている電源オンコードに対応する遠隔制御情報、および、録画予約コードに対応する録画予約情報を同時に外部に送信させることができる。
この時刻情報送受信装置は、受信された標準電波に含まれるタイムコードに基づいて、計時されている現在時刻を修正することができる。しかもその上に、自身が時刻情報と遠隔制御情報とを保有していなくとも、外部から受信されたタイムコードに対応する時刻情報と同じく外部から受信された遠隔制御コードに対応する遠隔制御情報とを外部に送信させることができるので、外部の各種家電機器の遠隔制御と時刻修正とを行い得る。
【００２９】
請求項４記載の発明に係る時刻情報送受信装置は、
現在時刻を計時する計時部（図３の計時回路部２１１）、この計時部により計時された現在時刻を表示する表示部（図３の表示部２０４）、データを記憶する記憶部（図３のＲＡＭ２０７、リモコン制御コード記憶部２１８）および情報を外部に送信する送信部(図３の送信部２１３)を備えている時刻情報送受信装置（図１、図３の中継器２）において、
各種電気機器を遠隔操作するために予備ビットエリアに遠隔制御コードが含まれたタイムコードを含む標準電波を受信する受信手段（図３の受信部）と、
この受信手段により受信された標準電波に含まれているタイムコードと遠隔制御コードとを前記記憶部に記憶させる記憶制御手段（図３のＣＰＵ２０５；図４のＳ１０１）と、
この記憶制御手段の制御により前記記憶部に記憶された前記タイムコードに基づいて、前記計時手段により計時されている現在時刻を修正させる時刻修正制御手段（図３のＣＰＵ２０５；図４のＳ１０２）と、
前記記憶部に記憶されている前記タイムコードに対応する時刻情報と前記記憶部に記憶されている前記遠隔制御コードに対応する遠隔制御情報とを前記送信部から外部に送信させる送信制御手段（図３のＣＰＵ２０５；図４のＳ１０５）と、
を備えることを特徴とする。
【００３０】
請求項４記載の発明に係る時刻情報送受信装置によれば、各種電気機器を遠隔操作するために予備ビットエリアに遠隔制御コードが含まれたタイムコードを含む標準電波を受信し、この受信された標準電波に含まれているタイムコードと遠隔制御コードとを記憶させ、この記憶されたタイムコードに基づいて、計時されている現在時刻を修正させることができる一方で、記憶されているタイムコードに対応する時刻情報と記憶されている遠隔制御コードに対応する遠隔制御情報とを外部に送信させることができる。
【００３１】
また、請求項５記載の発明に係る時刻情報送受信装置は、請求項３又は４記載の時刻情報送受信装置において、
操作手段を更に備え、
前記送信制御手段は、前記操作手段に対する手動操作に応答して前記時刻情報とともに前記遠隔制御情報を送信することを特徴とする。
したがって、遠隔制御情報に基づき制御される各種家電機器を、操作手段に対する手動操作に応答して時刻修正と遠隔制御とを行うことができる。
【００３３】
また、請求項４記載の発明に係る腕時計は、請求項３に記載の時刻情報送受信装置と、この時刻情報送受信装置が設けられた装置本体(図１の機器本体２０１)とを備えることを特徴とする。
したがって、この腕時計は、電波時計としての機能を具備し、かつタイムコードに対応する時刻情報と遠隔制御コードに対応する遠隔制御情報とを外部に送信することから、家電機器の現在時刻の修正と遠隔制御とを行い得る。
【発明の効果】
【００３５】
請求項１記載の発明に係る腕時計によれば、予備ビットエリアに遠隔制御コードが含まれたタイムコードを含む標準電波を受信し、この受信された標準電波に含まれているタイムコードを記憶部に記憶させる一方で、順次１周期６０秒間隔で受信された標準電波に含まれている遠隔制御コードのすべてが受信されたか否かを判別し、遠隔制御コードのすべてが受信されるまで当該遠隔制御コードを記憶部に記憶させ、このうち、記憶されたタイムコードに基づいて、計時されている現在時刻を修正させ、この修正された時刻を現在時刻として表示部に表示させることができる。そればかりでなく、タイムコードとすべての遠隔制御コードとが記憶された後に、装置本体に設けられている操作手段に対する手動操作がなされると、それに応答して、記憶部に記憶されているタイムコードに対応する時刻情報と記憶部に記憶されているすべての遠隔制御コードに対応する遠隔制御情報とを外部に送信させることができる。この結果、外部の各種家電機器の遠隔制御と時刻修正とを行い得る。
【００３６】
また、請求項２記載の発明に係る腕時計によれば、請求項１記載の発明に係る腕時計の場合と同様に、各種電気機器を遠隔操作するために予備ビットエリアに当該電気機器の電源をオンさせるための遠隔制御コードが含まれたタイムコードを含む標準電波を１周期６０秒間隔で順次受信し、この１周期６０秒間隔で順次受信された標準電波に含まれているタイムコードを記憶部に記憶させる一方で、受信された標準電波に含まれている前記遠隔制御コードのすべてが受信されたか否かを判別し、遠隔制御コードのすべてが受信されるまで当該遠隔制御コードを記憶部に記憶させ、この記憶されたタイムコードに基づいて、計時されている現在時刻を修正させることができるばかりでなく、記憶部にタイムコードとすべての遠隔制御コードとが記憶された後に、装置本体に設けられている操作手段に対する手動操作がなされると、それに応答して、操作手段に対する手動操作がなされたか否かを判別し、手動操作がなされたと判別された際に、当該操作手段に対する手動操作がなされると、それに応答して、記憶部に記憶されているタイムコードに対応する時刻情報と記憶部に記憶されているすべての遠隔制御コードに対応する遠隔制御情報とを送信部から外部に送信させることができる。この結果、外部の各種家電機器の遠隔制御と時刻修正とを行い得る。
【００３７】
また、請求項３記載の発明に係る時刻情報送受信装置によれば、電気機器の電源をオンさせるための電源オンコードと電気機器の録画予約を示す録画予約コードとを予備ビットエリアに記憶している遠隔制御コードが含まれたタイムコードを含む標準電波を１周期６０秒間隔で順次受信し、この１周期６０秒間隔で順次受信された標準電波に含まれているタイムコードを記憶部に記憶させる一方で、受信された標準電波に含まれている電源オンコードと録画予約コードとを含む遠隔制御コードのすべてが受信されたか否かを判別し、遠隔制御コードのすべてが受信されるまで当該遠隔制御コードを記憶部に記憶させ、このうち、記憶されたタイムコードに基づいて、計時されている現在時刻を修正させ、この修正された時刻を現在時刻として表示部に表示させることができるばかりでなく、記憶部に記憶されているタイムコードに対応する時刻情報、記憶部に記憶されている遠隔制御コードに含まれている電源オンコードに対応する遠隔制御情報、および、録画予約コードに対応する録画予約情報を同時に外部に送信させることができる。この結果、外部の各種家電機器の遠隔制御と時刻修正とを行い得る。
【００４３】
また、請求項４記載の発明に係る時刻情報送受信装置によれば、請求項３記載の発明に係る時刻情報送受信装置の場合と同様に、受信された標準電波に含まれるタイムコードに基づいて、計時されている現在時刻を修正することができる。しかもその上に、自身が時刻情報と遠隔制御情報とを保有していなくとも、外部から受信されたタイムコードに対応する時刻情報と同じく外部から受信された遠隔制御コードに対応する遠隔制御情報とを外部に送信させることができるので、外部の各種家電機器の遠隔制御と時刻修正とを行い得る。
【００４５】
また、請求項５記載の発明に係る時刻情報送受信装置によれば、遠隔制御情報に基づき制御される各種家電機器を、操作手段に対する手動操作に応答して時刻修正と遠隔制御とを行うことができる
【００４７】
また、請求項４記載の発明に係る腕時計によれば、電波時計としての機能を具備し、かつタイムコードに対応する時刻情報と遠隔制御コードに対応する遠隔制御情報とを外部に送信することから、家電機器の現在時刻の修正と遠隔制御とを行い得る。
【発明を実施するための最良の形態】
【００４９】
以下、本発明の一実施の形態を図に従って説明する。
（第１の実施の形態）
【００５０】
図１は、各実施の形態に共通するシステム構成を示す図である。図示のように本システムは、送信所の電波塔１から送信されるタイムコードを含む標準電波を腕時計型標準時刻中継器２により受信して、腕時計型標準時刻中継器２が計時している時刻を修正するとともに、この腕時計型標準時刻中継器２の出力信号により、住宅３に配置された家電機器の時刻を修正しようとするものである。腕時計型標準時刻中継器２は、機器本体２０１とこの機器本体２０１の両端部に係着された一対のバンド部２０２、２０３とを有し、ユーザＵの腕に装着可能に構成されている。また、機器本体２０１の上面部には、時刻等を表示するための表示部２０４が設けられている。
【００５１】
また、ユーザＵの住宅３内には、冷蔵庫３０１、ビデオデッキ３０２、テレビジョン受像機３０３、防犯用モニタ３０４、エアコン３０５、インターネットテレビ３０６、給湯モニタ３０７等の家電機器が配置されている。これら家電機器は、現在時刻を計時する計時機能及び現在時刻を表示する時刻表示機能を有するとともに、腕時計型標準時刻中継器２から赤外線送信される時刻情報を受信して、現在時刻を修正する機能を有している。
【００５２】
図２は、電波塔１から送信される標準電波に含まれているタイムコード（標準タイムコード）１０１のフォーマットを示すものである。このタイムコード１０１は、分１０２、秒１０３、１月１日からの積算日１０４、パリティ１０５、予備ビット１０６、年（西暦下２桁）１０７、曜日１０８、うるう秒１０９で構成され、正確な時刻の分の桁が更新される毎、つまり１分毎に１周期６０秒のフレームで送出される。また、本実施の形態においては、予備ビット１０６にリモコン制御コードが含まれており、このリモコン制御コードは前記家電機器を遠隔操作する際、例えばテレビジョン受像機３０３の電源をオンにする際に使用される制御情報である。
【００５３】
図３は、本実施の形態における腕時計型標準時刻中継器２の内部構成を示すブロック図である。腕時計型標準時刻中継器２は、ＣＰＵ（Central Processing Unit）２０５と、ＲＯＭ（Read Only Memory）２０６と、ＲＡＭ（Random Access Memory）２０７と、入力部２０８と、前記表示部２０４と、受信制御部２０９と、タイムコード生成部２１０と、計時回路２１１と、発振回路部２１２と、送信部２１３と、送信時刻情報記憶部２１４と、ソーラ２１５、及びリモコン制御コード記憶部２１８を備えて構成される。また、発振回路部２１２を除く各部はバスＢによって接続され、発振回路部２１２は計時回路２１１に接続されている。
【００５４】
ＣＰＵ２０５は、所定のタイミングあるいは入力部２０８から入力された操作信号に応じてＲＯＭ２０６に格納されたプログラムを読み出してＲＡＭ２０７に展開し、該プログラムに基づいて腕時計型標準時刻中継器２を構成する各部への指示やデータの転送等を行う。特に、ＣＰＵ２０５は、例えば所定時間毎に、受信制御部２０９を制御して標準電波の受信処理を実行し、タイムコード生成部２１０から入力された標準タイムコードに基づいて計時回路２１１で計数される現在時刻データを修正する。また、前記家電機器に送信する時刻情報を送信時刻情報記憶部２１４に記憶させるとともに、送信部２１３を制御して送信時刻情報記憶部２１４に記憶されている時刻情報とリモコン制御情報とを送信させる送信制御や、計時回路２１１による計時に基づいて、指定された時刻からの経過時間を計時（カウント）するタイマー処理等の各種制御を行う。
【００５５】
ＲＯＭ２０６は、腕時計型標準時刻中継器２にかかるシステムプログラムやアプリケーションプログラム、本実施の形態を実現するためのプログラムやデータ等を記憶する。なお、これらのプログラムの詳細については、後述する各実施形態において説明する。
【００５６】
ＲＡＭ２０７は、ＣＰＵ２０５の制御の下、ＣＰＵ２０５で処理されたデータを記憶するとともに、記憶しているデータをＣＰＵ２０５に出力するために用いられる。
【００５７】
入力部２０８は、腕時計型標準時刻中継器２の各種機能を実行させるためのスイッチ等で構成され、これらのスイッチが操作された場合には対応する操作信号をＣＰＵ２０５に出力する。
【００５８】
表示部２０４は、小型液晶ディスプレイ等で構成され、ＣＰＵ２０５から入力される表示信号に基づいて現在時刻をデジタル表示等する。
【００５９】
受信制御部２０９は、電波受信装置２１６を備える。電波受信装置２１６は、受信部２１７で受信した標準電波の不要な周波数成分をカットして該当する周波数信号を取り出し、この周波数信号を対応した電気信号に変換した信号をタイムコード生成部２１０へ出力する。
【００６０】
タイムコード生成部２１０は、電波受信装置２１６から入力された電気信号をデジタル信号に変換し、標準時刻コードや積算コード、曜日コード等の時計機能に必要なデータを含む標準タイムコードを生成してＣＰＵ２０５に出力する。
【００６１】
計時回路２１１は、発振回路部２１２から入力される信号を計数して現在時刻を計時し、この現在時刻のデータ（現在時刻情報）をＣＰＵ２０５に出力する。発振回路部２１２は、常時一定周波数のクロック信号を出力する回路である
【００６２】
送信部２１３は赤外線送信機能を有し、送信時刻情報記憶部２１４に記憶されている時刻情報、及びリモコン制御コード記憶部２１８に記憶されているリモコン制御コードに対応するリモコン制御情報を赤外線送信する。
【００６３】
送信時刻情報記憶部２１４には、前記家電機器に送信する時刻情報を記憶する。ソーラ２１５は、光学センサーを内蔵するとともに受光して発電し、電力を各部に供給する。リモコン制御コード記憶部２１８は、前記予備ビット１０６含まれて送信されて受信されたリモコン制御コードを記憶する。
【００６４】
以上の構成に係る本実施の形態において、送信所の電波塔１からは、図２に示したように、予備ビット１０６にリモコン制御コードが含まれたタイムコード１０１を含む標準電波が１分毎に１周期６０秒のフレームで送出される。一方、腕時計型標準時刻中継器２のＣＰＵ２０５は、ＲＯＭ２０６に格納されたプログラムに基づき図４のフローチャートに示すように処理を実行する。すなわち、前記電波塔１から送信される標準電波（リモコン制御コードを含む標準タイムコード（タイムコード１０１））を受信し、この受信した標準タイムコードをＲＡＭ２０７のワークエリアに記憶するとともに、リモコン制御コードをリモコン制御コード記憶部２１８に記憶する（ステップＳ１０１）。次に、受信した標準電波（標準タイムコード）に基づき、計時回路部２１１で計時される現在時刻を修正するとともに、この修正した後の現在時刻を表示部２０４に表示させる（ステップＳ１０２）。
【００６５】
引き続き、複数回に分けて受信したリモコン制御コードがすべて受信されたか否かを判断する（ステップＳ１０３）。すなわち、前述のようにリモコン制御コードは、タイムコード１０１の予備ビット１０６を利用して送信されるが、予備ビット１０６のビット数は少ない。したがって、例えばテレビジョン受像機３０３の電源をオンにするリモコン制御コードを送信する場合であっても、１回に送信するタイムコード１０１の予備ビット１０６にリモコン制御コードのすべてを含ませることはできない。よって、リモコン制御コードを複数に分割し、複数回に分けて順次タイムコード１０１の予備ビット１０６に含ませて送信する。このため、ステップＳ１０３では、複数回に分けて送信されるリモコン制御コードがすべて受信されたか否かを判断し、すべて受信されるまでステップＳ１０１からの処理を繰り返す。
【００６６】
そして、複数回に分けて送信されるリモコン制御コードがすべて受信されると（ステップＳ１０３：ＹＥＳ）、入力部２０８に設けられている手動送信スイッチが操作されたか否かを判断し（ステップＳ１０４）、操作されない場合にはステップＳ１０１からの処理を繰り返す。また、手動送信スイッチが操作された場合には、送信時刻情報記憶部２１４に記憶されているタイムコードに対応する時刻情報と、リモコン制御コード記憶部２１８に記憶されているリモコン制御コードに対応するリモコン制御情報を外部に送信する（ステップＳ１０５）。ここで、リモコン制御情報とは、リモコン制御コードが示す制御内容を赤外線送信でき、かつこれを受信する家電機器（本例ではテレビジョン受像機３０３）がこれを受信して制御可能な情報であり、ＣＰＵ２０５がリモコン制御コードからリモコン制御情報を生成し、送信部２１３より前記時刻情報とともに外部に送信する。
【００６７】
したがって、図１に示したように、腕時計型標準時刻中継器２を腕に装着したユーザＵがテレビジョン受像機３０３の電源をオンにすべく手動送信スイッチを操作すると、電源オンにするためのリモコン制御情報と時刻情報とがテレビジョン受像機３０３に赤外線送信される。すると、テレビジョン受像機３０３はこれを受信して電源をオンにするとともに、受信した時刻情報に基づき計時している現在時刻を修正する。よって、中継器を必要とすることなく、しかもテレビジョン受像機３０３等の電波時計機能を具備していない機器が計時している現在時刻の修正を行うことが可能となる。また、テレビジョン受像機３０３以外の他の家電機器は、時刻情報を受信し受信した時刻情報に基づき計時している現在時刻を修正する。よって、中継器を必要とすることなく、住宅３内にあるすべての家電機器が計時している現在時刻を正確に修正することができる。
【００６８】
なお、本実施の形態においては、リモコン制御コードを用いてテレビジョン受像機３０３の電源をオンにする場合について説明したが、ビデオデッキ３０２、エアコン３０５等リモコンユニットを用いて電源をオンにする他の家電機器に適用するようにしてもよい。また、リモコン制御信号も電源をオンにするものに限らず、ボリューム調整、温度調節、チャンネル変更等他の制御コードであってもよい。
【００６９】
（第２の実施の形態）
【００７０】
図５は、本発明の第２の実施の形態におけるＣＰＵ２０５の処理手順を示すフローチャートである。このフローチャートにおいて、ステップＳ２０１〜Ｓ２０３の処理は前述した第１の実施の形態におけるステップＳ１０１〜Ｓ１０３の処理と同様である。そして、ステップＳ２０５においては、ソーラ２１５が有する光学センサーの値が予め設定された値以下となったか否かを判断する。ここで、光学センサーの値が予め設定された値以下となる場合とは、腕時計型標準時刻中継器２を腕に装着して外出していたユーザＵが
住宅３に帰宅した場合が想定される。よって、ユーザが外出先から帰宅した場合には、ステップＳ２０４からステップＳ２０５に進み、前述した時刻情報とリモコン情報とを外部に送信する（ステップＳ２０５）。したがって、住宅３内に存在するすべての家電機器３０１〜３０７が時刻情報を受信して、現在時刻の修正を一斉に行うことができる。また、例えばリモコン制御情報により、テレビジョン受像機３０３、ビデオデッキ３０２、エアコン３０５、インターネットテレビ３０６等を帰宅と同時に電源オンさせることもできる。
【００７１】
（第３の実施の形態）
【００７２】
図６は、本発明の第３の実施の形態におけるＣＰＵ２０５の処理手順を示すフローチャートである。すなわち、前記電波塔１から送信される標準電波（ビデオ電源ＯＮコードとテレビ番組を示すＧコードとを含む標準タイムコード（タイムコード１０１））を受信し、この受信した標準タイムコードをＲＡＭ２０７のワークエリアに記憶するとともに、ビデオ電源ＯＮコードとＧコードとをリモコン制御コード記憶部２１８に記憶する（ステップＳ３０１）。次に、受信した標準電波（標準タイムコード）に基づき、計時回路部２１１で計時される現在時刻を修正するとともに、この修正した後の現在時刻を表示部２０４に表示させる（ステップＳ３０２）。なお、「Ｇコード」とは、ビデオの簡易録画予約システムに用いられる録画予約コードであり、「Ｇ」はこれを開発したアメリカのジェムスター・デベロップメント社（Ｇｅｍｓｔａｒ  Ｄｅｖｅｌｏｐｍｅｎｔ）の頭文字である。
【００７３】
引き続き、複数回に分けて受信したビデオ電源ＯＮコードとＧコードがすべて受信されたか否かを判断し（ステップＳ３０３）、すべて受信されるまでステップＳ３０１からの処理を繰り返す。複数回に分けて送信されるリモコン制御コードがすべて受信されると（ステップＳ３０３：ＹＥＳ）、入力部２０８に設けられている手動送信スイッチが操作されたか否かを判断し（ステップＳ３０４）、操作されない場合にはステップＳ３０１からの処理を繰り返す。また、手動送信スイッチが操作された場合には、送信時刻情報記憶部２１４に記憶されているタイムコードに対応する時刻情報と、リモコン制御コード記憶部２１８に記憶されているビデオ電源ＯＮコードと、Ｇコードに対応するリモコン制御情報とを外部に送信する（ステップＳ３０５）。
【００７４】
したがって、図１に示したように、腕時計型標準時刻中継器２を腕に装着したユーザＵが手動送信スイッチを操作すると、ビデオデッキ３０２の電源オンにするためのリモコン制御情報とＧコード情報及び時刻情報とがビデオデッキ３０２に赤外線送信される。すると、ビデオデッキ３０２はこれを受信して電源をオンにするとともに、受信したＧコードで番組を録画予約し、かつ時刻情報に基づき計時している現在時刻を修正する。よって、中継器を必要とすることなく、しかもビデオデッキ３０２のように、電波時計機能を具備していない機器が計時している現在時刻の修正を行うことが可能となる。
なお、この場合において、手動送信スイッチを操作すると、ビデオデッキ３０２の電源オンにするためのリモコン制御情報、Ｇコード情報、および、時刻情報が同時にビデオデッキ３０２に送信されても良いが、リモコン制御情報、Ｇコード情報、および、時刻情報の少なくとも一つが送信されるようにしても良い。また、リモコン制御情報、Ｇコード情報、および、時刻情報を適宜組み合わせて送信されるようにしても良い。
【００７５】
（第４の実施の形態）
【００７６】
図７は、本発明の第４の実施の実施の形態にかかるテレビ受信機型標準時刻中継器４の内部構成を示すブロック図である。このブロック図において、２０５〜２１２、２１４は図３に示したブロック図における２０５〜２１２、２１４と同一の構成であるので、同一符号を付して説明を省略する。なお、表示部２０４はテレビ受信機本体の前面下部に配置されている。また、送信部４１３は、制御信号を有線でビデオデッキ３０２に出力するものである。デジタルテレビ受信機能部４１５は、テレビ画像を表示する回路及び音声を発生させる回路等の通常テレビジョン受像機が有するすべての回路で構成されているとももに、ＲＯＭ４１６及びＲＡＭ４１７を有している。ＲＯＭ４１６には、このデジタルテレビ受信機能部４１５を制御するためのプログラムが格納されており、ＲＡＭ４１７はデジタルテレビ受信機能部４１５を制御する際のワークエリア等として使用されるとともに、番組コードＰを格納する。
【００７７】
以上の構成に係る本実施の形態において、送信所の電波塔１からは、図２に示したように、予備ビット１０６にリモコン制御コードが含まれたタイムコード１０１を含む標準電波が１分毎に１周期６０秒のフレームで送出されるが、この送出されたタイムコード１０１を含むテレビ放送データ（テレビ番組コードを含む）は、一般家庭等に配置されたテレビ受信機型標準時刻中継器４内において、放送電波としてデジタルテレビ受信機能部４１５により受信されると、受信されたテレビ放送データに対応する番組内容が表示部２０４に表示されることとなる。
一方、前述したテレビ受信機型標準時刻中継器４のＣＰＵ２０５は、ＲＯＭ２０６に格納されたプログラムに基づき図４のフローチャートに示すように処理を実行する。
すなわち、前記電波塔１から送信される放送電波（リモコン制御コード、テレビ番組コード、標準タイムコード（タイムコード１０１）を含む）を受信し、この受信した標準タイムコードをＲＡＭ２０７のワークエリアに記憶するとともに、リモコン制御コードをリモコン制御コード記憶部２１８に記憶し、テレビ番組コードをＲＡＭ７に記憶する（ステップＳ４０１）。次に、受信した標準電波（標準タイムコード）に基づき、計時回路部２１１で計時される現在時刻を修正するとともに、この修正した後の現在時刻を表示部２０４に表示させ、デジタルテレビ受信機能部４１５を動作させて、受信した番組コードまたはテレビ放送データに対応する番組内容を表示部２０４に表示させる（ステップＳ４０２）。
【００７８】
引き続き、複数回に分けて受信したリモコン制御コード及び番組コードがすべて受信されたか否かを判断する（ステップＳ４０３）。すなわち、前述のようにリモコン制御コードは、タイムコード１０１は、予備ビット１０６を利用して送信されるが、予備ビット１０６のビット数は少なく、しかも、本実施の形態においては予備ビット１０６を利用して、リモコン制御コードと番組コードとを送信する。したがって、後述するようにビデオデッキ３０２の電源をオンにするリモコン制御コードを、１回に送信するタイムコード１０１の予備ビット１０６にすべてを含ませることはできない。したがって、リモコン制御コードを複数に分割し、複数回に分けて順次タイムコード１０１の予備ビット１０６に含ませて送信する。このため、ステップＳ４０３では、複数回に分けて送信されるリモコン制御コードがすべて受信されたか否かを判断し、すべて受信されるまでステップＳ４０１からの処理を繰り返す。
【００７９】
そして、複数回に分けて送信されるリモコン制御コードがすべて受信されると（ステップＳ４０３：ＹＥＳ）、予め定められた日時、又は時刻になったか否かを判断する（ステップＳ４０４）。ここで、予め定められた日時、時刻とは、例えばユーザが入力部４０８の操作により予めＲＡＭ４１７に記憶させた、ビデオデッキ３０２の電源をオンにして録画を開始する日時又は時刻である。そして、予め定められた日時、時刻となったならば、送信時刻情報記憶部２１４に記憶されているタイムコードに対応する時刻情報と、リモコン制御コード記憶部２１８に記憶されているリモコン制御コードに対応するリモコン制御情報を外部（ビデオデッキ３０２）に送信する（ステップＳ４０５）。ここで、本実施例におけるリモコン制御情報は、ビデオデッキ３０２の電源をオンにして、テレビ受信機型標準時刻中継器４が表示している番組の録画を開始させるための制御情報である。したがって、ステップＳ２０５での処理によりビデオデッキ３０２がオンとなり、この時点でテレビ受信機型標準時刻中継器４が表示している受信した番組コードに対応する番組の録画がなされることとなる。さらに、ビデオデッキ３０２は、受信した時刻情報に基づき計時している現在時刻を修正する。よって、中継器を必要とすることなく、しかもビデオデッキ３０２等の電波時計機能を具備していない機器が計時している現在時刻の修正を行うことが可能となる。
【図面の簡単な説明】
【００８０】
【図１】各実施の形態に共通するシステム構成を示す図である。
【図２】電波塔から送信される標準電波に含まれているタイムコード（標準タイムコード）のフォーマットを示す図である。
【図３】腕時計型標準時刻中継器の内部構成を示すブロック図である。
【図４】第１の実施の形態における処理手順を示すフローチャートである。
【図５】本発明の第２の実施の形態におけるの処理手順を示すフローチャートである。
【図６】本発明の第３の実施の形態におけるの処理手順を示すフローチャートである。
【図７】本発明の第４の実施の実施の形態にかかるテレビ受信機型標準時刻中継器の内部構成を示すブロック図である。
【図８】同実施の形態におけるの処理手順を示すフローチャートである。
【符号の説明】
【００８１】
１    電波塔
２    腕時計型標準時刻中継器
４    テレビ受信機型標準時刻中継器
７    ＲＡＭ
１０６    予備ビット
２０４    表示部
２０５    ＣＰＵ
２０６    ＲＯＭ
２０７    ＲＡＭ
２０８    入力部
２０９    受信制御部
２１０    タイムコード生成部
２１１    計時回路
２１１    計時回路部
２１２    発振回路部
２１３    送信部
２１４    送信時刻情報記憶部
２１５    ソーラ
２１６    電波受信装置
２１７    受信部
２１８    リモコン制御コード記憶部
４１６    ＲＯＭ
４１７    ＲＡＭ
【図１】
0004483226.tif 000002
【図２】
0004483226.tif 000003
【図３】
0004483226.tif 000004
【図４】
0004483226.tif 000005
【図５】
0004483226.tif 000006
【図６】
0004483226.tif 000007
【図７】
0004483226.tif 000008
【図８】
0004483226.tif 000009